(57)【要約】【課題】表面シート側からのｐＨ指示体の視認性が低下した場合であっても、体液のｐＨ値に基づいて着用者が健康状態を把握することができる吸収性物品を提供する。【解決手段】本発明に係る吸収性物品１は、液透過性の表面シート２と、液不透過性の裏面シート３と、表面シート２と裏面シート３との間に配置される吸収体４とを有し、裏面シート３と吸収体４との間には、着用者の体液のｐＨ値に応じて呈色反応するｐＨ指示体５０が配置されており、ｐＨ指示体５０は、裏面シート３を介して吸収性物品１の外側から視認可能に構成されており、ｐＨ指示体５０よりも吸収体４側に、裏面シート３のｐＨ指示体５０に対応する領域よりも全光線透過率が低い低光透過層５が設けられている。【選択図】図２
2012152394.tif 000002
【特許請求の範囲】
【請求項１】
液透過性の表面シートと、液不透過性の裏面シートと、前記表面シートと前記裏面シートとの間に配置される吸収体とを有する吸収性物品であって、
前記裏面シートと前記吸収体との間には、着用者の体液のｐＨ値によって呈色反応するｐＨ指示体が配置されており、
前記ｐＨ指示体は、前記裏面シートを介して前記吸収性物品の外側から視認可能に構成されており、
前記ｐＨ指示体よりも前記吸収体側に、前記裏面シートの前記ｐＨ指示体に対応する領域よりも全光線透過率が低い低光透過層が設けられていることを特徴とする吸収性物品。
【請求項２】
前記低光透過層は、前記吸収体に設けられている、請求項１に記載の吸収性物品。
【発明の詳細な説明】
【技術分野】
【０００１】
本発明は、吸収性物品に関する。
【背景技術】
【０００２】
特許文献１に、液透過性の表面シートと、液不透過性の裏面シートと、表面シートと裏面シートとの間に配置される吸収体とを有する吸収性物品であって、表面シートの肌当接面側又は吸収体に、リトマス溶液が塗布されている吸収性物品が開示されている。
【先行技術文献】
【特許文献】
【０００３】
【特許文献１】ＣＮ２０１４１４８８０Ｙ
【発明の概要】
【発明が解決しようとする課題】
【０００４】
リトマス溶液は、着用者の体液が接触することにより、体液の水素イオン濃度（ｐＨ値）に応じて呈色反応する。具体的には、体液がアルカリ性の場合には青色に変化し、体液が酸性の場合には赤色に変化する。したがって、上述の吸収性物品によれば、着用者の体液が酸性であるか、アルカリ性であるか、あるいは中性であるかを検出することができる。体液は、健康状態に応じてｐＨ値が変化することが知られている。よって、着用者は、体液のｐＨ値に基づいて、自身の健康状態を把握することができる。
【０００５】
しかし、例えば、月経中においては、表面シートの肌当接面側に経血が付着するため、表面シートの肌当接面側からリトマス溶液を視認し難いことがある。リトマス溶液は、色によってｐＨ値を示すため、着用者は、リトマス溶液を視認できないと、ｐＨ値に基づいて健康状態を把握することができない。
【０００６】
そこで、本発明は、上述の課題に鑑みてなされたものであり、表面シート側からのリトマス溶液等ｐＨ指示体の視認性が低下した場合であっても、体液のｐＨ値に基づいて着用者の健康状態を把握することができる吸収性物品を提供することを目的とする。
【課題を解決するための手段】
【０００７】
本発明の特徴は、液透過性の表面シートと、液不透過性の裏面シートと、前記表面シートと前記裏面シートとの間に配置される吸収体とを有する吸収性物品であって、前記裏面シートと前記吸収体との間には、着用者の体液のｐＨ値に応じて呈色反応するｐＨ指示体が配置されており、前記ｐＨ指示体は、前記裏面シートを介して前記吸収性物品の外側から視認可能に構成されており、前記ｐＨ指示体よりも前記吸収体側に、前記裏面シートの前記ｐＨ指示体に対応する領域よりも全光線透過率が低い低光透過層が設けられていることを要旨とする。
【発明の効果】
【０００８】
本発明に係る吸収性物品は、着用者の体液の水素イオン濃度（ｐＨ値）に応じて呈色反応するｐＨ指示体を備えており、ｐＨ指示体が裏面シートを介して視認可能であるため、着用者は、裏面シートを介して、吸収性物品の外部からｐＨ指示体を視認することができる。よって、着用者は、表面シートに経血等の体液が付着して表面シート側からのｐＨ指示体の視認性が低下した場合であっても、体液のｐＨ値に基づいて自身の健康状態を把握することができる。
【０００９】
また、ｐＨ指示体よりも吸収体側に、裏面シートのｐＨ指示体に対応する領域よりも全光線透過率が低い低光透過層が設けられているため、裏面シート側からｐＨ指示体を視認した際におけるｐＨ指示体の背面側の視認性が、ｐＨ指示体よりも低くなる。ｐＨ指示体に比べて吸収体側の視認性が低いため、吸収体側の体液の視認性が低下し、相対的にｐＨ指示体の視認性を向上させることができる。
【図面の簡単な説明】
【００１０】
【図１】本発明の第１の実施形態に係る吸収性物品の肌当接面側から見た平面図である。
【図２】図１に示す吸収性物品の下着当接面側から見た平面図である。
【図３】図１に示す吸収性物品のａ−ａ断面図である。
【図４】変形例に係る吸収性物品の下着当接面側から見た平面図である。
【発明を実施するための形態】
【００１１】
（本発明の第１の実施形態）
図１を参照して、本発明の第１の実施形態に係る吸収性物品１について説明する。例えば、本実施形態に係る吸収性物品１は、パンティライナーや失禁パッドや生理用ナプキン等である。
【００１２】
本実施形態に係る吸収性物品１は、液透過性の表面シート２と、液不透過性の裏面シート３と、表面シート２と裏面シート３との間に配置される吸収体４とを有する。表面シート２は、着用者の肌当接面側に配置され、裏面シート３は、下着当接面側に配置される。なお、本実施形態に係る吸収性物品１において、表面シートと吸収体との間に、セカンドシートが配置されていてもよい。
【００１３】
図１に、本発明の第１の実施形態に係る吸収性物品の肌当接面側から見た平面図を示す。図２に、本発明の第１の実施形態に係る吸収性物品の下着当接面側（非肌当接面側）から見た平面図を示す。図３に、図１に示す吸収性物品のａ−ａ断面図を示す。
【００１４】
吸収体は、粉砕パルプ及び高分子吸収ポリマーと両者を包み込むコアラップとによって構成されている。ここで、高分子ポリマーは、ポリアクリル酸をナトリウムで部分中和した架橋体の粒状のポリマーである。
【００１５】
また、コアラップは、液体を吸収する任意の材料のシートである。例えば、コアラップとして、ティッシュを用いてもよいし、親水性繊維や粉砕パルプをエアレイド法によってシート状にしたエアレイドシートを用いてもよいし、ポリプロプレン等の結晶性樹脂からなる不織布を用いてもよい。
【００１６】
また、本実施形態に係る吸収性物品１には、図１に示すように、複数の圧搾溝２１、２２、２３が設けられていてもよい。ここで、圧搾溝及２１、２２、２３は、図３に示すように、表面シートから吸収体までを圧搾するように構成されている。
【００１７】
また、本実施形態に係る吸収性物品１は、図１に示すように、吸収性物品１の幅方向Ｗの両外側に延出するように形成されている１対のウィング部４１を有していてもよい。さらに、本実施形態に係る吸収性物品１は、吸収性物品１の長手方向Ｌにおいて、ウィング部４１の後方に、１対のヒップフラップ部４２を有していてもよい。
【００１８】
ここで、ウィング部４１及びヒップフラップ部４２では、裏面シートの衣服当接面側に、吸収性物品１を下着に固定するための粘着剤４３が塗布されている。粘着剤４３は、裏面シート３の長手方向Ｌに沿って複数ライン状に塗布される。ウィング部４１及びヒップフラップ部４２において、ショーツと接触する下着当接面にもまた、粘着剤４３が塗布される。使用前の状態では、粘着剤４３には粘着性を保持するための保護シート（図示せず）が接着されている。保護シートは、使用時に着用者によって剥離される。
【００１９】
着用者は、吸収性物品１を下着に着用する際に、ウィング部４１を下着のクロッチに巻き込み、ヒップフラップ部４２を下着の上に広げて、吸収性物品１を下着に固定する。
【００２０】
また、本実施形態に係る吸収性物品１は、図２及び図３に示すように、裏面シート３と吸収体４との間に、ｐＨ指示体５０が配置されている。ｐＨ指示体５０は、シート状であって、体液のｐＨ値によって呈色反応する酸塩基指示溶液が染みこんでいる。ｐＨ指示体５０は、吸収体４によって吸収された体液のｐＨ値に応じて色が変化する。なお、ｐＨ指示体５０は、吸収体４よりも幅方向Ｗの長さ及び長手方向Ｌの長さが短く構成されているが、幅方向Ｗの長さ及び／又は長手方向Ｌの長さが吸収体４と同じであってもよい。
【００２１】
ｐＨ指示体５０に染みこませる酸塩基指示溶液としては、例えば、リトマスゴケから採取したリトマスを水等の溶媒に溶かしたリトマス溶液、ブロモチモールブルーを溶媒に溶かしたブロモチモールブルー溶液（ＢＴＢ溶液）、フェノールフタレインを溶媒に溶かしたフェノールフタレイン溶液、メチルオレンジ、紫キャベツ液、及び複数の酸塩基指示溶液を混合した液体を例示できる。
【００２２】
ｐＨ値は、水素イオン濃度を表す数値であって、物質の酸性及びアルカリ性の度合いを示す。具体的には、０〜１４の範囲の数値であって、ｐＨ＝７の場合は中性であり、ｐＨ値が小さくなればなるほど酸性が強いことを示し、ｐＨ値が大きくなればなるほどアルカリ性が強いことを示す。
【００２３】
着用者は、ｐＨ指示体５０の色に基づいて自身の健康状態を把握することができる。例えば、健康状態の膣内のｐＨ値は、4.5〜5.0の弱酸性である。したがって、着用者は、ｐＨ指示体５０が弱酸性を示す色に変化することによって、自身が健康であることを把握することができる。
【００２４】
また、例えば、軽微な異常が生じた状態の膣内のｐＨ値は、6.0〜8.0の中性である。したがって、着用者は、ｐＨ指示体５０が中性を示す色に変化することによって、若干の異常が生じている可能性があることを把握することができる。更に、病気等、何らかの異常が生じた状態の膣内のｐＨ値は、アルカリ性である。したがって、着用者は、ｐＨ指示体５０がアルカリ性を示す色に変化することによって、病気等の異常が生じている可能性があることを把握することができる。
【００２５】
更に、体液のｐＨ値は、月経の周期において変化したり、妊娠することによって変化したりするため、健康状態のみならず、月経の周期等を把握することも可能となる。
【００２６】
また、尿のｐＨ値に基づいて、健康状態を把握することも可能である。具体的には、酸性尿（pH 6.0 未満）が継続する場合には、尿酸結石等の病気の可能性がある。また、アルカリ尿（pH 7.0を超える）が継続する場合には、リン酸カルシウム結石、尿素分解菌による尿路感染症、リン酸マグネシウムアンモニウム結石等の病気の可能性がある。着用者は、尿のｐＨ値を日々確認することにより、健康状態を把握することができる。
【００２７】
裏面シート３は、全光線透過率が４０％〜８０％である。着用者は、裏面シート３を介してｐＨ指示体５０を視認することができる。よって、着用者は、表面シート２に経血等の体液が付着して表面シート側からのｐＨ指示体５０の視認性が低下した場合であっても、体液のｐＨ値に基づいて自身の健康状態を把握することができる。
【００２８】
これに対して、吸収体４の全光線透過率は、裏面シート３の全光線透過率よりも低くなるように構成されている。したがって、吸収体４は、裏面シート３よりも全光線透過率が低い低光透過層５となる。なお、低光透過層５は、吸収体４の裏面シート３側が低光透過層として機能してもよいし、吸収体全体が低光透過層として機能してもよい。全光線透過率は、ＪＩＳＫ７１０５（プラスチックの光学的特性試験方法）に基づいて測定することができる。
【００２９】
このように、ｐＨ指示体５０の吸収体４側に配置される吸収体４の全光線透過率を、裏面シート３の全光線透過率よりも比較的低くすることにより、吸収体４に吸収された体液の視認性が低下する。例えば、吸収体４に吸収された体液が裏面シート３側から見え易いと、吸収体４の体液の色とｐＨ指示体５０の色とが重なりあって見えたり、吸収体４の体液の色とｐＨ指示体５０の色とが混ざり合って見えたりするため、ｐＨ指示体５０の色が見え難くなるおそれがある。よって、ｐＨ指示体５０の色の識別性が低下するおそれがある。しかし、ｐＨ指示体５０よりも吸収体４側の全光線透過率を低くすることにより、相対的にｐＨ指示体５０の視認性を向上させることができる。
【００３０】
また、低光透過層は、例えば、比較的隠蔽性の高い結晶性樹脂からなる不織布によって構成したり、吸収体等に着色剤を添加して構成したり、吸収体等に印刷を施して構成したり、二酸化チタンを含有した熱可塑性繊維によって構成したり、比較的繊度の細かい繊維によって構成することができる。
【００３１】
なお、裏面シート３は、全体の全光線透過率が４０％〜８０％であってもよいし、少なくともｐＨ指示体５０に対応する領域の全光線透過率が４０％〜８０％であってもよい。具体的には、例えば、裏面シート３は、裏面シート３全体の全光線透過率を高くしてｐＨ指示体５０を視認するように構成してもよいし、裏面シート３のｐＨ指示体５０に対応する部分の領域の全光線透過率を高くして、ｐＨ指示体５０に対応する部分以外の領域の全光線透過率を低く構成してもよい。なお、ｐＨ指示体５０に対応する領域とは、図２に示すドット表示部であり、図２に示す平面視においてｐＨ指示体５０と重なる領域である。
【００３２】
裏面シート３のｐＨ指示体５０に対応する部分以外の領域の全光線透過率を低く構成することにより、ｐＨ指示体５０の視認性を確保しつつ、ｐＨ指示体５０周囲の体液の視認性を更に低下させることができる。また、ｐＨ指示体５０に対応する部分以外の領域の全光線透過率を低く構成することにより、裏面シート３の全光線透過率のコントラストによって、相対的にｐＨ指示体５０に対応する領域の視認性を高め、吸収性物品１外部からのｐＨ指示体５０の色調の視認性を向上させることができる。
【００３３】
したがって、着用者は、裏面シート３を介して吸収性物品１の外側からｐＨ指示体５０を視認できる。裏面シート３の表面には、表面シート２の表面と異なり、体液等が直接付着せず、体液によって視認性が低下するおそれがない。したがって、着用者は、吸収性物品１の裏面シート３側から確実にｐＨ指示体５０を視認して、自身の健康状態を把握することができる。
【００３４】
（変更例１）
以下、図４を参照して、本発明の変更例１に係る吸収性物品１について、上述の第１の実施形態に係る吸収性物品１との相違点に着目して説明する。
【００３５】
図４に示すように、本変更例１に係る吸収性物品１は、吸収体４の裏面シート側の面に、ｐＨ指示体５０として酸塩基指示溶液が塗布されている。すなわち、ｐＨ指示体５０は、吸収体４及び裏面シート３と別個に設けられていてもよいし、吸収体４又は裏面シート３の一部として設けられていてもよい。なお、変形例１に係る吸収性物品１は、吸収体４に酸塩基指示溶液が塗布されているが、裏面シート３の吸収体４側の面に、酸塩基指示溶液が塗布されていてもよい。
【００３６】
また、低光透過層５は、吸収体４の一部として設けられていてもよいし、吸収体４と裏面シート３との間に設けられたシートの一部として設けられていてもよいし、吸収体４及びシートと別個に設けられていてもよい。
【００３７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００３８】
１…吸収性物品
２…表面シート
３…裏面シート
４…吸収体
５…低光透過層
２１、２２、２３…圧搾溝
４１…ウィング部
４２…ヒップフラップ部
４３…粘着剤
５０…ｐＨ指示体
【図１】
2012152394.tif 000003
【図２】
2012152394.tif 000004
【図３】
2012152394.tif 000005
【図４】
2012152394.tif 000006